(57)【要約】【課題】シールド部材における位置精度の確保とシールド性能の低下防止とを同時に成立させることが可能な光コネクタを提供する。【解決手段】光コネクタハウジング２３における後部側壁３１の内面は、ＦＯＴ収容室２９の後方開口部３２の左右両側で一対となり且つＦＯＴ収容室２９から後方に順に並ぶ第一レール３６及び第二レール３７の二種類の平行なレールを有している。各一対の第一レール３６及び第二レール３７は、上下方向に真っ直ぐに伸びるように形成されている。シールド部材２４は、金属板の複数回折り曲げによって形成される段差形状の部分３９を有する部材であって、この段差形状の部分３９は、第一板部４０と第二板部４１と段差部４２とＦＯＴ押圧板バネ部４３とを有している。【選択図】図１
2010101923.tif 000002
【特許請求の範囲】
【請求項１】
ＦＯＴ（Fiber Optic Transceiver ）と、該ＦＯＴを収容するためのＦＯＴ収容室を有する光コネクタハウジングと、前記ＦＯＴに対して電磁ノイズ対策を施すためのシールド部材とを備える光コネクタにおいて、
前記光コネクタハウジングは、前記ＦＯＴ収容室の後方開口部の左右両側で一対となり且つ前記ＦＯＴ収容室から後方に順に並ぶ第一レールと第二レールの二種類の平行なレールを有し、
前記シールド部材は、金属板の複数回折り曲げによって形成される段差形状の部分を有する部材であって、前記一対の第一レールに案内される第一板部と、前記一対の第二レールに案内され且つ板面に沿って基板接続用のグランド部が複数形成される第二板部と、前記第一板部及び前記第二板部を連結する段差部と、基端が前記第二板部に連成され且つ先端側が前記第一板部の開口を介して前記ＦＯＴ収容室側に位置する段差形状のＦＯＴ押圧板バネ部とを有する
ことを特徴とする光コネクタ。
【請求項２】
請求項１に記載の光コネクタにおいて、
前記第一板部及び／又は前記第二板部のレール被案内部と、前記第一レール及び／又は前記第二レールのレール溝との対応し合う位置に、前記シールド部材を前記光コネクタハウジングに係止するためのロック機構を設ける
ことを特徴とする光コネクタ。
【請求項３】
請求項１又は請求項２に記載の光コネクタにおいて、
前記光コネクタハウジングは、前記ＦＯＴの複数の基板接続用のピンに非接触となる下方開口部を前記ＦＯＴ収容室に有するとともに、前記光コネクタハウジング自体がシールド性を有するように形成される
ことを特徴とする光コネクタ。
【発明の詳細な説明】
【技術分野】
【０００１】
本発明は、ＦＯＴ（Fiber Optic Transceiver ）と、光コネクタハウジングと、シールド部材とを備える光コネクタに関する。
【背景技術】
【０００２】
図５において、下記特許文献１には、回路基板１に実装されるレセプタクルタイプの光コネクタ２についての技術が開示されている。光コネクタ２は、ＦＯＴ（Fiber Optic Transceiver ）３と、光コネクタハウジング４と、シールド部材５とを備えて構成されている。
【０００３】
ＦＯＴ３は、光素子を有するＦＯＴ本体６と、このＦＯＴ本体６から伸びる複数の基板接続用のピン７（リードフレーム）とを有している。光コネクタハウジング４は、ＦＯＴ３に対する収容室、すなわちＦＯＴ収容室８を有している。このＦＯＴ収容室８には、光コネクタ２に嵌合する図示しないプラグタイプの光コネクタに設けられるフェルールを挿通させるための筒部９が形成されている。
【０００４】
シールド部材５は、ＦＯＴ３に対して電磁ノイズ対策を施すための部材（ここでは所謂シールドケース）であって、ＦＯＴ本体６を収容する箱形のケース部１０と、このケース部１０から伸びる複数の基板接続用のグランド部１１とを有している。
【０００５】
グランド部１１は、ピン形状であって、ＦＯＴ３のピン７から所定の距離だけ離れるように配置されている（接続位置等の関係上、離す必要がある）。グランド部１１は、図示の如く略クランク状に折り曲げられて形成されている。
【特許文献１】特開２００２−３６５４８７号公報
【発明の開示】
【発明が解決しようとする課題】
【０００６】
ところで、上記従来技術にあっては、図示の如くグランド部１１の形状が曲がっていることから、曲げの状態が良くない場合、位置精度（ピッチなど）に影響が出てしまうという問題点を有している。不安定な位置精度では、回路基板１への接続作業に支障を来してしまうことになる。
【０００７】
上記問題点の対策として、図６に示すような形状にシールド部材１２を形成することが考えられる。シールド部材１２は、大きなケース部１３を有し、この後壁１４の板面に沿ってグランド部１５が複数形成されている。グランド部１５は、真っ直ぐに形成されており、ＦＯＴ３のピン７から所定の距離だけ離れた位置に配置されている。グランド部１５は、曲げを施す必要のない位置に配置形成されていることから、位置精度は安定するようになっている。
【０００８】
ＦＯＴ３は、後壁１４に形成された板バネ１６により前方へ押圧されて保持されるようになっている。板バネ１６は、後壁１４を切り起こして形成されている。尚、ケース部１３を大きく形成する場合、板バネ１６のようなＦＯＴ本体６を保持する構造は必須である。
【０００９】
しかしながら、このようなシールド部材１２にあっては、ＦＯＴ本体６と後壁１４との間に大きなスペース１７ができてしまうことになる。また、板バネ１６を形成すると、ＦＯＴ本体６と後壁１４との間が広いことから、後壁１４に大きな開口１８が生じてしまうことになる。大きな開口１８は、シールド性能に影響を来す恐れを有している。
【００１０】
本発明は、上記した事情に鑑みてなされたもので、シールド部材における位置精度の確保とシールド性能の低下防止とを同時に成立させることが可能な光コネクタを提供することを課題とする。
【課題を解決するための手段】
【００１１】
上記課題を解決するためになされた請求項１記載の本発明の光コネクタは、ＦＯＴ（Fiber Optic Transceiver ）と、該ＦＯＴを収容するためのＦＯＴ収容室を有する光コネクタハウジングと、前記ＦＯＴに対して電磁ノイズ対策を施すためのシールド部材とを備える光コネクタにおいて、前記光コネクタハウジングは、前記ＦＯＴ収容室の後方開口部の左右両側で一対となり且つ前記ＦＯＴ収容室から後方に順に並ぶ第一レールと第二レールの二種類の平行なレールを有し、前記シールド部材は、金属板の複数回折り曲げによって形成される段差形状の部分を有する部材であって、前記一対の第一レールに案内される第一板部と、前記一対の第二レールに案内され且つ板面に沿って基板接続用のグランド部が複数形成される第二板部と、前記第一板部及び前記第二板部を連結する段差部と、基端が前記第二板部に連成され且つ先端側が前記第一板部の開口を介して前記ＦＯＴ収容室側に位置する段差形状のＦＯＴ押圧板バネ部とを有することを特徴としている。
【００１２】
このような特徴を有する本発明によれば、段差形状の部分を有するシールド部材を光コネクタハウジングに装着すると、第一板部がＦＯＴ収容室に収容されたＦＯＴの近くに配置される。また、ＦＯＴのピンから所定の距離だけ後方に離れた位置には、シールド部材の第二板部が配置される。シールド部材のグランド部は、第二板部の板面に沿って形成される。グランド部は、第二板部の配置によって曲げを施す必要なく形成される。本発明によれば、第一板部は、ＦＯＴの近くに配置されることから、ＦＯＴとの間に大きなスペースができることはない。また、第一板部がＦＯＴの近くに配置されることから、ＦＯＴを保持するためのＦＯＴ押圧板バネ部は、第一板部に大きな開口を生じさせることはない。シールド部材は、十分な押圧力でＦＯＴを保持することが可能になる。
【００１３】
請求項２記載の本発明の光コネクタは、請求項１に記載の光コネクタにおいて、前記第一板部及び／又は前記第二板部のレール被案内部と、前記第一レール及び／又は前記第二レールのレール溝との対応し合う位置に、前記シールド部材を前記光コネクタハウジングに係止するためのロック機構を設けることを特徴としている。
【００１４】
このような特徴を有する本発明によれば、ロック機構によってシールド部材は光コネクタハウジングに係止される。具体的には、レール被案内部がレール溝に案内される過程でロック機構が作用し、これによってシールド部材は光コネクタハウジングに係止される。
【００１５】
請求項３記載の本発明の光コネクタは、請求項１又は請求項２に記載の光コネクタにおいて、前記光コネクタハウジングは、前記ＦＯＴの複数の基板接続用のピンに非接触となる下方開口部を前記ＦＯＴ収容室に有するとともに、前記光コネクタハウジング自体がシールド性を有するように形成されることを特徴としている。
【００１６】
このような特徴を有する本発明によれば、ＦＯＴはシールド部材の他にシールド性を有する光コネクタハウジングに収容されて更なる電磁ノイズ対策が施される。
【発明の効果】
【００１７】
請求項１に記載された本発明によれば、シールド部材における位置精度の確保とシールド性能の低下防止とを同時に成立させることができるという効果を奏する。
【００１８】
請求項２に記載された本発明によれば、光コネクタハウジングに対してシールド部材を係止するにあたり、より良い形態を提供することができるという効果を奏する。
【００１９】
請求項３に記載された本発明によれば、シールド性能を高めることができるという効果を奏する。
【発明を実施するための最良の形態】
【００２０】
以下、図面を参照しながら説明する。図１は本発明の光コネクタの一実施の形態を示す構成図である。また、図２は光コネクタの斜視図、図３は光コネクタの断面図、図４はシールド部材の正面図である。
【００２１】
図１ないし図３において、引用符号２１は本発明の光コネクタを示している。光コネクタ２１は、図示しない回路基板に実装されるレセプタクルタイプのもので、ＦＯＴ（Fiber Optic Transceiver ）２２と、光コネクタハウジング２３と、シールド部材２４とを備えて構成されている。以下、各構成部材について説明する。
【００２２】
上記ＦＯＴ２２は、光素子を有するＦＯＴ本体２５と、このＦＯＴ本体２５から伸びる複数の基板接続用のピン２６（リードフレーム）とを有している。ＦＯＴ２２は、発光側のものと受光側のものの二つが備えられている。発光側のものは発光素子が設けられ、受光側のものは受光素子が設けられている。各光素子は、対応するピン２６にワイヤーボンディング等で接続されている。ピン２６は、図示しない回路基板の対応する回路に半田付けされるようになっている。ＦＯＴ本体２５の後面は、平坦に形成されている。ＦＯＴ本体２５の前面には、光学的な接続の際の接続相手案内部分となる環状案内部２７が形成されている。
【００２３】
上記光コネクタハウジング２３は、ハウジング前面を開口させて形成される嵌合部２８と、ハウジング後面を開口させて形成されるＦＯＴ収容室２９とを有している。嵌合部２８は、図示しないプラグタイプの光コネクタが嵌合する部分として形成されている。ＦＯＴ収容室２９は、二つのＦＯＴ２２を例えば圧入によって収容する部分として形成されている。嵌合部２８とＦＯＴ収容室２９は、筒部３０によって連通するように形成されている。ＦＯＴ収容室２９の左右両側には、このＦＯＴ収容室２９よりも後方にのびる一対の後部側壁３１が形成されている。
【００２４】
ＦＯＴ収容室２９は、この後方が開口するように形成されている。すなわち、ＦＯＴ収容室２９は、後方開口部３２を有するように形成されている。また、ＦＯＴ収容室２９は、ＦＯＴ２２のピン２６を光コネクタハウジング２３の下面３３よりも下方に突出させるための下方開口部３４を有するように形成されている。下方開口部３４は、ＦＯＴ２２のピン２６に対して非接触となるように開口形成されている。下面３３には、図示しない回路基板に対して差し込み固定するためのピン状の固定部３５が形成されている。
【００２５】
後部側壁３１の内面は、ＦＯＴ収容室２９の後方開口部３２の左右両側で一対となり且つＦＯＴ収容室２９から後方に順に並ぶ第一レール３６及び第二レール３７の二種類の平行なレールを有している。各一対の第一レール３６及び第二レール３７は、上下方向に真っ直ぐに伸びるように形成されており、上方から下方に向けて上記シールド部材２４をスライド移動させて装着することができるようになっている。第二レール３７は、このレール溝にハウジング側係止部３８（図４参照。ロック機構）を有している。一対の後部側壁３１の間の部分は空間になっている。
【００２６】
光コネクタハウジング２３は、この樹脂成形材料に例えばカーボン等を混ぜることによって成形されている。光コネクタハウジング２３は、これ自体がシールド性を有するようになっている（シールド性を持たせることは任意であるものとする）。本形態においては、ＦＯＴ２２に対してより良い電磁ノイズ対策を施すことができるようになっている。
【００２７】
図１ないし図４において、上記シールド部材２４は、導電性を有する金属板をプレス加工することにより形成されている。シールド部材２４は、従来の箱形状のもの（シールドケース）と異なっており、段差形状の部分３９を有する略板状のものに形成されている。もう少し具体的に説明すると、シールド部材２４は、上記金属板の複数回折り曲げによって形成される段差形状の部分３９を有する部材であって、この段差形状の部分３９は、第一板部４０と第二板部４１と段差部４２とＦＯＴ押圧板バネ部４３とを有している。
【００２８】
第一板部４０は、第一レール３６に案内される板状の部分として形成されている。この第一板部４０の左右両側部は、レール被案内部４４を有している。第二板部４１は、第二レール３７に案内される板状の部分として形成されている。この第二板部４１の左右両側部は、レール被案内部４５を有しており、この部分にシールド部材側係止部４６（ロック機構）が形成されている。シールド部材側係止部４６は、第二レール３７のレール溝に形成されるハウジング側係止部３８に引っ掛かり係止されるようになっている。第二板部４１は、ＦＯＴ２２のピン２６から所定の距離だけ後方に離れた位置に配置されるようになっている。段差部４２は、第一板部４０及び第二板部４１を連結する部分であって傾斜するように形成されている。
【００２９】
ＦＯＴ押圧板バネ部４３は、ＦＯＴ２２を保持するための部分として形成されている。ＦＯＴ押圧板バネ部４３は、この基端が第二板部４１に連成され且つ先端側が第一板部４０の開口４７を介してＦＯＴ収容室２９側に位置するような段差形状に形成されている。ＦＯＴ押圧板バネ部４３は、上記金属板に略Ｕ字状のスリットを形成した後、所定の折り曲げを施すことによって図示のような形状に形成されている。ＦＯＴ押圧板バネ部４３は、第一板部４０がＦＯＴ２２の近くに配置されるようになることから、第一板部４０に大きな開口４７を生じさせることがないようになっている。ＦＯＴ押圧板バネ部４３は、この形状からも分かるように、十分な押圧力でＦＯＴ２２を保持することができるようになっている。ＦＯＴ押圧板バネ部４３の先端部分には、インデント４８が形成されている。
【００３０】
第一板部４０の上端には、シールド部材２４の装着の際に指で押す部分となり、また、ストッパにもなる折曲部４９が連成されている。一方、第二板部４１の下端には、この板面に沿って基板接続用のグランド部５０が複数形成されている。グランド部５０は、図示しない回路基板のＧＮＤに半田付けされるようになっている。グランド部５０は、第二板部４１がＦＯＴ２２のピン２６から所定の距離だけ後方に離れた位置に配置されることから、従来例のような曲げを施す必要なく形成されている。グランド部５０は、真っ直ぐ下方に伸びるように形成されている。
【００３１】
上記構成及び構造において、光コネクタハウジング２３のＦＯＴ収容室２９にＦＯＴ２２を（ＦＯＴ本体２５を）例えば圧入によって収容し、この後にシールド部材２４を光コネクタハウジング２３に装着すると、本発明の光コネクタ２１の組み立てが完了する。シールド部材２４の装着の際には、第一板部４０のレール被案内部４４が第一レール３６に案内されるとともに、第二板部４１のレール被案内部４５が第二レール３７に案内される。そして、レール被案内部４５が第二レール３７に案内される過程でロック機構（ハウジング側係止部３８及びシールド部材側係止部４６）が作用し、これによってシールド部材２４は光コネクタハウジング２３に係止される。シールド部材２４の装着が完了すると、ＦＯＴ２２はＦＯＴ押圧板バネ部４３の押圧力によっても保持される。
【００３２】
本発明によれば、段差形状の部分３９を有するシールド部材２４を光コネクタハウジング２３に装着することにより、シールド部材２４の第一板部４０がＦＯＴ収容室２９に収容されたＦＯＴ２２の近くに配置される。また、ＦＯＴ２２のピン２６から所定の距離だけ後方に離れた位置にシールド部材２４の第二板部４１が配置される。このような配置により、シールド部材２４のグランド部５０を、曲げを施すことなく形成することができる。また、上記配置によって、第一板部４０とＦＯＴ２２との間に大きなスペースを生じさせないようにすることもできる。シールド部材２４のＦＯＴ押圧板バネ部４３は、上記配置によって第一板部４０に大きな開口を生じさせることはなく、十分な押圧力でＦＯＴ２２を保持することができる。
【００３３】
以上、本発明によれば、シールド部材２４における位置精度の確保とシールド性能の低下防止とを同時に成立させることができる。
【００３４】
本発明は本発明の主旨を変えない範囲で種々変更実施可能なことは勿論である。
【００３５】
本発明は、光コネクタと電気コネクタの両方の機能を有するハイブリッドコネクタや、ピッグテールタイプの光コネクタにも適用することが可能であるものとする。
【００３６】
上記説明では光コネクタハウジング２３自体にシールド性を持たせていたが、シールド性を持たせない場合には、例えばシールド部材２４の折曲部４９に、光コネクタハウジング２３の嵌合部２８を覆うような部分を連成することが考えられる。
【図面の簡単な説明】
【００３７】
【図１】本発明の光コネクタの一実施の形態を示す構成図である。
【図２】光コネクタの斜視図である。
【図３】光コネクタの断面図である。
【図４】シールド部材の正面図である。
【図５】従来例の光コネクタの構成図である。
【図６】従来例のシールド部材の問題点に係る図である。
【符号の説明】
【００３８】
２１  光コネクタ
２２  ＦＯＴ
２３  光コネクタハウジング
２４  シールド部材
２５  ＦＯＴ本体
２６  ピン
２７  環状案内部
２８  嵌合部
２９  ＦＯＴ収容室
３０  筒部
３１  後部側壁
３２  後方開口部
３３  下面
３４  下方開口部
３５  固定部
３６  第一レール
３７  第二レール
３８  ハウジング側係止部（ロック機構）
３９  段差形状の部分
４０  第一板部
４１  第二板部
４２  段差部
４３  ＦＯＴ押圧板バネ部
４４、４５  レール被案内部
４６  シールド部材側係止部（ロック機構）
４７  開口
４８  インデント
４９  折曲部
５０  グランド部
【図１】
2010101923.tif 000003
【図２】
2010101923.tif 000004
【図３】
2010101923.tif 000005
【図４】
2010101923.tif 000006
【図５】
2010101923.tif 000007
【図６】
2010101923.tif 000008